(57)【特許請求の範囲】
【請求項１】
外壁頂部が、建物の外周梁を構成する桁梁の屋外側に固定される外壁部材によって構成され、
勾配屋根の桁先端部が、前記外壁頂部から前記桁梁の幅寸法分屋内側に後退させて前記桁梁の屋内側に接続され、
前記桁先端部と外壁部材とが対向して形成される間隙に排水溝が形成されている
ことを特徴とするパラペット構造。
【請求項２】
前記排水溝は、排水溝部材で構成され、該排水溝部材は、前記間隙に挿入されて嵌合する凹部と、外壁頂部を覆って前記凹部に連続する外壁頂部被覆片と、勾配屋根面を覆って前記凹部に連続する勾配屋根被覆片とで形成されていることを特徴とする請求項１のパラペット構造。
【請求項３】
前記排水溝部材には、勾配屋根から流れこんだ雨水を建物の外壁面に設置された竪樋に導くために、外壁を貫通する落とし込みドレン管部材が設けられていることを特徴とする請求項２のパラペット構造。
【請求項４】
前記落とし込みドレン管部材は、前記排水溝部材の凹部の底面に設けた排水孔口で排水溝部材に接続される外側ドレン管と、該外側ドレン管に挿通される内側ドレン管とで構成された二重管構造としたことを特徴する請求項３のパラペット構造。
【請求項５】
前記外側ドレン管は、可撓性を有する部材であり、
前記内側ドレン管は、前記外側ドレン管の配管形状を保持する硬さを有することを特徴とする請求項４のパラペット構造。
【請求項６】
前記外側ドレン管の流出口からに挿通された内側ドレン管の流入口と、キャップ部材の先端部が
前記排水溝部材の凹部の底面と外側ドレン管を挟んだ状態で連結されることにより
前記内側ドレン管の設置位置が維持されて、前記内側ドレン管が挿通された前記外側ドレン管の配管形状が保持されていることを特徴とする請求項５のパラペット構造。
【発明の詳細な説明】
【技術分野】
【０００１】
本発明は、建物の勾配屋根と外壁とが交差する部位におけるパラペット構造に関するものである。
【背景技術】
【０００２】
従来、建物の勾配屋根構造は、外壁上に配置され外壁面より外側に張り出した庇を持つのが通常であるが、建物の配置が道路境界線や敷地境界線に対向する側の庇の張り出しは、建物の高さ制限である道路斜線制限や北側斜線制限を遵守するためにその張り出し寸法を短くすることがある（これを「庇カット」という）。
【０００３】
また、都市部の狭小敷地などに、陸屋根構造の建物を建設する場合もあるが、道路境界線や敷地境界線に極めて接近する場合があり、建物の高さ制限を遵守するために建物の外壁の頂部であるパラペットの先端部の一部を斜め形状にカットしてパラペットの先端高さを低く抑えた躯体構成システムを採用することがある（これを「斜線カット」という）。
【０００４】
一方、陸屋根住宅の外壁パラペットで囲まれた屋上の内部ベランダの一部又は全部の領域に切り妻屋根等の勾配屋根を配置する躯体構成がある。例えば、本出願人が保有する技術として、図５に示すように陸屋根住宅であるへーベルハウスTMのトップハット・ルーフシステムTMという住宅の躯体構成システムがある。これによれば、トップハット・ルーフシステムTMの切妻形式の勾配屋根の桁先（桁行き方向の先端）が外壁頂部に連続する躯体構成を実現し、または、トップハット・ルーフシステムTMの切妻形式の勾配屋根が外壁パラペットから所定寸法セットバックして屋上ベランダに設置される躯体構成を実現することができる。
【０００５】
なお、この陸屋根住宅は、鉄骨軸組柱梁構造であり、外壁、床、及び屋根を軽量気泡コンクリートパネル(ＡＬＣパネル)で構成している。また、トップハット・ルーフシステムTMが設置される屋上の下階の室内は、天井高を高くすることができ、または、高い天井高を利用した小屋裏空間とすることができる。
【０００６】
ところで、勾配屋根に流れ落ちる雨水は、桁先に設置する軒樋が受けて竪樋を経由して排水されるが、上記した外壁から突出する庇の場合、軒樋は勾配屋根の桁の先端に設置される。また、斜線カットの場合は、図４（ａ）、（ｂ）に示すように、軒樋７１は建物７２の外壁面７３に設けられる。
【０００７】
また、図５に示すように、上記トップハット・ルーフシステムTMの勾配屋根の桁先を外壁に頂部に連続させる場合（桁先８１）は、図４（ａ）に示すように軒樋及び竪樋は外壁の外側に設置する。
【０００８】
更に、図５に示すように、トップハット・ルーフシステムTMの勾配屋根が外壁パラペットから２ＨＰ（６１０ｍｍ）以上セットバックして屋上ベランダの内部に設置された場合（桁先８２）は、勾配屋根の桁の先端部は陸屋根面に着床させているので、雨水は勾配屋根面から陸屋根面に流れ、パラペットのドレンに伝わって外壁に設置した竪樋により地面下に落とし、排水処理される（特許文献１）。
【０００９】
ところで、最近は、住宅等の建物の軒樋が外壁面の一部に現われていることが外観デザイン上好ましくないという指摘がある。
【００１０】
そこで、本件出願人は、外壁の頂部であるパラペットの立ち上がり部と勾配屋根の先端部が交差して形成される部位に軒樋を設けるという新規な着想に至った。
【００１１】
しかしながら、建物の躯体施工が完了した後に勾配屋根と外壁の隙間の部位に設置すべき軒樋の部品群をどのように設定すべきかについての前例がなかった。特に、この隙間は、外壁と勾配屋根に挟まれた狭い部位であるため、防水工事の施工や施工後のメンテナンスが行いやすく、雨漏れなどの不具合が発生しない等の防水工事の信頼性があるかどうかという点も検討する必要がある。
【００１２】
ここで、特許文献２には、ベランダの床面よりも高い位置でベランダ腰壁を貫通する雨水のオーバーフロー管が開示されている。しかし、勾配屋根と外壁との間に形成される隙間部位に雨水排水を設置する技術の開示はない。
【００１３】
【特許文献１】特開平８−０９９８０７号公報
【特許文献２】特開２００４−１９０３７８号公報
【発明の開示】
【発明が解決しようとする課題】
【００１４】
上記問題点に鑑み、本発明の目的は、外観上の軒樋を見せない建物の勾配屋根パラペット部の意匠を実現し、狭い間隙（凹部）の上側から簡単にドレン管が挿入でき、かつドレン管の外壁貫通も可能であり、漏水の危険を回避でき、防水上の安全性が担保されたパラペット構造を提供することにある。
【課題を解決するための手段】
【００１５】
上記目的を達成するために本発明に係るパラペット構造は、外壁頂部が、建物の外周梁を構成する桁梁の屋外側に固定される外壁部材によって構成され、勾配屋根の桁先端部が、前記外壁頂部から前記桁梁の幅寸法分屋内側に後退させて前記桁梁の屋内側に接続され、前記桁先端部と外壁部材とが対向して形成される間隙に排水溝が形成されているものである。
【００１６】
ここで、外周梁は、建物の外周辺に設けられる梁をいい、例えば、軸組構造の建物であれば、躯体を構成する梁のうち、屋外側に面して設けられる建物の外周辺に立ち並ぶ側柱同士をつなぐ梁をいう。
【００１７】
桁梁とは、屋根の桁行き方向に設けた梁をいう。また、外壁は、外壁部材であるサイディングパネルやコンクリートパネル等によって構成され、外周梁である桁梁の屋外側の側面に梁のフランジに設定した接合金物により吊り込まれように固定される。
【００１８】
勾配屋根は、勾配面を形成する一般的な屋根の総称であり、例えば、切妻屋根や寄棟屋根形式などを含む。勾配屋根を構成する勾配屋根部材は、建物の構造形式や詳細設計により適宜配置されるものとなるが、例えば、勾配屋根面を構成する屋根パネル、勾配屋根骨組を構成する勾配梁接合部材（桁梁に屋根パネルや勾配梁を接合する屋根パネル支持部材、または勾配梁と桁梁とを接合する接合金物など）から構成される。特に、建物桁先端部を形成する勾配屋根部材は、屋根パネルとこれを桁梁（屋内側）において固定する屋根パネル支持部材で構成される。
【００１９】
また、本発明に係る桁先（桁先端部）は、勾配屋根が外壁頂部に向かって下り、外壁頂部に交差状態になる勾配屋根の先端部をいう。したがって、桁先（桁先端部）は、切り妻屋根形式の場合は妻面側を除く桁行き側の先端であるが、寄棟屋根形式の場合は勾配屋根の全周囲が桁先（桁先端部）ということになる。
【００２０】
また上記パラペット構造において、前記排水溝は、排水溝部材で構成され、該排水溝部材は、前記間隙に挿入されて嵌合する凹部と、外壁頂部を覆って前記凹部に連続する外壁頂部被覆片と、勾配屋根面を覆って前記凹部に連続する勾配屋根被覆片とで形成されていることが好ましい。
【００２１】
また上記パラペット構造において、前記排水溝部材には、勾配屋根（勾配屋根面）から流れこんだ雨水を建物の外壁面に設置された竪樋に導くために、外壁を貫通する落とし込みドレン管部材が設けられていることが好ましい。
【００２２】
また上記パラペット構造において、前記落とし込みドレン管部材は、前記排水溝部材の凹部の底面に設けた排水孔口で排水溝部材に接続される外側ドレン管と、該外側ドレン管に挿通される内側ドレン管とで構成された二重管構造としたことが好ましい。
【００２３】
また上記パラペット構造において、前記外側ドレン管は、可撓性を有する部材であり、前記内側ドレン管は、前記外側ドレン管の配管形状を保持する硬さを有することが好ましい。
【００２４】
更に、上記パラペット構造において、前記外側ドレン管の流出口から挿入された内側ドレン管の流入口とキャップ部材の先端部が前記排水溝部材の凹部の底面と外側ドレン管を挟んで連結されることにより、前記内側ドレン管の設置位置が維持されて、前記内側ドレン管が挿通された前記外側ドレン管の配管形状が保持されていることが好ましい。
【００２５】
ここで、前記外側ドレン管は、該外側ドレン管の流出口が前記排水孔口を形成する排水溝部材の凹部の底面の孔穴に挿通されて前記孔穴の縁部に前記外側ドレン管のフランジ片が面着することにより、排水溝部材の排水孔口に接続されている。
【００２６】
また、前記排水溝部材の排水孔口には、キャップ部材がはめ込まれ、前記排水溝部材の孔穴の縁部と前記外側ドレン管のフランジ片を挟んだ状態で前記キャップ部材の先端部と前記内側ドレン管の流入口とが連結されることにより、前記内側ドレン管の排水溝および外壁に対する設置位置が維持されて、前記内側ドレン管が挿通された前記外側ドレン管の配管形状が保持されている。
【発明の効果】
【００２７】
本発明のパラペット構造では、勾配屋根の桁先端部と外壁の頂部との間に間隙を設けると共に該間隙に排水溝を形成したので、建物の外部に軒樋が露出することがない。このため、意匠性に富んだ勾配屋根部の桁と外壁とが交差する部位のパラペット構造とすることができる。
【００２８】
また上記排水溝を構成する排水溝部材を、勾配屋根部の桁先端部から外壁の頂部に連続して形成され、排水溝に挿入される凹部嵌合部と、外壁頂部を覆い排水溝に連結される外壁頂部と、勾配屋根部の桁先端部を覆って排水溝に連結される勾配部とで形成することによって、排水溝における漏水や防水の信頼性を高くすることができる。
【００２９】
また排水溝部材に、雨水を建物の竪樋に導くために、排水溝部材と断面が同形状でかつ底面に排水孔口を設けた排水溝部材と、前記排水孔口で接続された外側ドレン管と、により形成され、該外側ドレン管に内側ドレン管を挿入して二重管構造とした外壁を貫通する落とし込みドレン管部材を設けることによって、防水の信頼性を損なうことなく、且つ容易な施工性を実現できる。
【００３０】
また、外側ドレン管を、可撓性を有する部材とし、内側ドレン管を外側ドレン管の形状を保持するための形状保持部材とすることで、落とし込みドレン管部材を施工する際には外側ドレン管を変形させて隙間に落とし込むと共に外壁に貫通させることが可能となり、且つ外壁の外側から、外壁を貫通した外側ドレン管の内側に内側ドレン管を挿入することで、外側ドレン管の形状を保持することができる。このため、外壁に大きな切欠を形成することなく容易に排水溝を施工することができる。
【００３１】
更に、外側ドレン管に挿入された内側ドレン管をキャップ部材により
凹部材の底面と外側ドレン管を挟んで排水孔口に固定することによって、ドレン管自身の漏水を防止することができ、信頼性を高くすることができる。
【発明を実施するための最良の形態】
【００３２】
以下、本発明に係るパラペット構造の好ましい実施の形態について図を用いて説明する。図１はパラペット構造を説明する図である。図２は落とし込みドレン管部材および落とし込みドレン管付排水溝部材の一例を説明する図である。図３は本実施例のパラペットを構成する際の手順を説明する図である。
【００３３】
本実施例に係るパラペットＡは勾配屋根（勾配屋根の水下部）１の桁と外壁２とが交差する部位に構成されており、勾配屋根１の桁先端部１ａと外壁２の頂部２ａとの間に桁梁３の幅寸法に対応する隙間４を構成し、この隙間４に排水溝５を構成している。
【００３４】
即ち、勾配屋根１の桁先端部１ａを桁梁３の外壁２の頂部２ａ側に接続することなく、桁梁３の幅寸法分屋内側に後退させた外壁の内側に接続して、外壁頂部２ａの壁面と桁先端部１ａの側面（勾配屋根部材である屋根パネル）との間に隙間４を形成し、この隙間４に排水溝５を構成することで、従来建物の外部に露出して設置されていた軒樋の部品を設置することを止めて、建物の意匠性を向上させるようにしたものである。
【００３５】
ここで、勾配屋根と外壁の交差部とは、立断面視で、勾配屋根の水下である桁先端部１ａが外壁頂部（頂点部）２ａにぶつかった交差点であり、勾配屋根１から外壁２が連続する躯体構成の部位をいう。
【００３６】
また、本実施形態における勾配屋根の水下部１の桁先端部１ａは、勾配面を構成する勾配梁１ｂが、桁梁３の上側フランジに接合された断面視Ｌ型の接合部材３ａによって接合されることにより（接合部材３ａを介して）、前記桁梁３の上側フランジに接合され、前記勾配梁１ｂ上に載置された屋根パネル１１が、前記桁梁３の上側フランジに接合された屋根パネル端部金物（屋根パネル支持部材）１１ａによって接合されることにより（屋根パネル端部金物１１ａを介して）、前記桁梁３の上側フランジに接合されて、構成されており、前記桁先端部１ａの設置位置の設計モジュール芯と外壁パネルの設置位置の設計モジュール芯とが同一であり（同じ位置に設置され）、勾配屋根の水下部１の桁先端部１ａにおいて、屋根パネル１１の端部を支持する屋根パネル支持部材１１ａの取り付く桁梁３と、外壁パネルで構成される外壁２が配設される（吊り込まれる）建物の外周梁とは同一の梁部材である。
【００３７】
排水溝５に流れ込んだ雨水は、外壁２の外側面に沿って立ち上げられた竪樋１０に排水される。このため、外壁２における竪樋１０と対応する位置には貫通孔２ｂが形成されており、この貫通穴２ｂを介して排水溝５の雨水を排水することが可能である。
【００３８】
このため、排水溝５は、一般部が排水溝部材６によって構成され、竪樋１０に対応する部位は落とし込みドレン管部材７によって構成されている。そして、隙間４に排水溝部材６と落とし込みドレン管部材７を配置して互いに防水性を確保して接続することによって排水溝５が構成されている。
【００３９】
排水溝部材６は、勾配屋根１の桁先端部１ａを含む勾配部分から外壁２の頂部２ａまで連続して構成されている。即ち、排水溝部材６は、排水溝５の底部となる底部６ａと、底部６ａの幅方向の端部であって勾配屋根１側に形成され該勾配屋根１を構成する屋根パネル１１の上面に至る屋根側立上部６ｂ（勾配屋根被覆片）と、底部６ａの幅方向の端部であって外壁２側に形成され該外壁２の頂点部２ａに至る外壁側立上部６ｃ（外壁頂点部被覆片）と、を有して構成されている。これにより、  排水溝部材６は、少なくとも排水溝として機能し得る断面凹部の形状を確保している。
【００４０】
底部６ａ、屋根側立上部６ｂ、外壁側立上部６ｃは、防水上連続して構成されていることが必須であるが、部品として連続した一体に形成されているか否かは限定するものではなく、板金加工によって前記各部６ａ〜６ｃからなる一体部品として形成しても良く、また夫々異なる部品として形成されたものを施工時に連続させて一体化しても良い。排水溝部材６を複数の異なる部品によって構成する場合、底部６ａは幅方向の両端部分に夫々立上部を設けた断面が凹状（凹部）に形成する必要がある。
【００４１】
屋根側立上部６ｂの端部は屋根パネル１１の上面に固定されており、外壁側立上部６ｃの端部は外壁２の頂部２ａに設けた梁固定金物１２に固定されている。底部６ａは特に固定されることなく、屋根側立上部６ｂ、外壁側立上部６ｃがそれぞれ屋根パネル面や外壁パネル面に支持されて、排水溝部材６は、間隙４の凹状の上部を橋渡し状態に設置されている。
【００４２】
排水溝部材６の深さ（排水溝５の深さ）は特に限定するものではない。また、排水溝部材６の幅（排水溝５の幅）底部６ａと桁梁３との間に落とし込みドレン管部材７を設置し得るだけの最小の幅を有することが必要である。排水溝部材６は隙間４に配置されたとき、屋根側立上部６ｂが屋根パネル１１の屋根面にてビスで固定され、外壁側立上部６ｃが外壁頂点部にて断面視Ｚ型の桁行方向（長手方向）に延設された梁固定金物１２にビスで固定されて支持されている。
【００４３】
なお、笠木１３は、外壁頂点部にて梁固定金物１２に固定されたブラケット１４によって桁行方向（長手方向）に延設されて、固定されている
【００４４】
排水溝部材６は予め設定された長さ（例えば、建物に設定されたモジュール寸法の整数倍の長さ、或いはメートル単位の長さ）を有しており、外壁２に設けた貫通孔２ｂに対向する位置を除いて、勾配屋根の桁行方向に設けられる隙間４に沿って直列に配置され、隣接する排水溝部材６どうしは互いの端部を重ね合わせ、或いは突き合わせて所定の方法（例えば溶着等）によって接続されている。
【００４５】
例えば、排水溝部材６が、底部６ａ、屋根側立上部６ｂ、外壁側立上部６ｃが連続した一体部品として構成されている場合、この排水溝部材６を隙間４に配置すると共に、隣接する排水溝部材６どうしを互いに接続することで排水溝５を構成することが可能である。しかし、排水溝部材６が、夫々異なる部品としての底部６ａ、屋根側立上部６ｂ、外壁側立上部６ｃによって構成されている場合、屋根側立上部６ｂを屋根パネル１１に固定すると共に外壁側立上部６ｃを梁固定金物１２に固定し、隙間４に底部６ａを配置して幅方向の両端部分を夫々屋根側立上部６ｂ、外壁側立上部６ｃに対し所定の方法によって接続することで排水溝５を構成することが可能である。
【００４６】
落とし込みドレン管部材７は外壁２に設けた貫通孔２ｂに対向する位置に配置され、排水溝５に流れ込んだ雨水を竪樋１０に導いて排水するためのものである。このため、落とし込みドレン管部材７は一方の口が排水溝５の底部に接続され、他方の口が竪樋１０に接続されている。
【００４７】
特に、勾配屋根１の桁先端部１ａと外壁２との間に形成された隙間４は、Ｈ型鋼の桁梁３の幅（約１００ｍｍ程度）に相当する幅寸法であり、極めて狭い。他方、隙間４から外壁２に取り付けた竪樋１０までの距離は隙間４の幅寸法よりも充分に大きい。このため、一般的な配管材料である硬質塩化ビニル製等の落とし込みドレン管部材７を使用して、そのドレン管部分の先端を隙間４の上方から外壁２の内側にもぐらせて外壁２に設けた貫通孔２ｂに挿通させようとしたとき、ドレン管部分の形状は変形しないため、挿通し得ないという問題が生じた。
【００４８】
この問題を解決するには、外壁２の所定の位置にその頂点部２ａから切欠を形成し、切欠部の上から落とし込みドレン管部材７を嵌めこむように設置し、ドレン管設置後に外壁２の切欠を施工現場で復元して補修する方法があるが、この方法では軒樋を露出させないことによる意匠性の向上をはかったにもかかわらす、切欠部分の補修を旨く施工しないと補修跡が露出してしまい、外壁頂部の美観を損ねて、補修等の施工手間も発生するという別の問題を派生してしまうことになる。
【００４９】
このため、本発明では、外側ドレン管を、可撓性を有する材質によって構成している。そして、可撓性を有するが故に、雨水を排出する際にドレン管としての筒状の形状を保持し得ない虞が生じるという問題を、外側ドレン管の流出口から内側ドレン管である配管形状保持部材を挿入し、外側ドレン管内に配置することによって解決している。
【００５０】
即ち、前記外側ドレン管７ｃは、該外側ドレン管７ｃの流出口７ｃ２が前記排水孔口７ａを形成する排水溝部材の凹部の底面の孔穴６ｄに挿通されて前記孔穴６ｄの縁部に前記外側ドレン管７ｃのフランジ７ｃ１が面着することにより、排水溝部材の排水孔口７ａにて接続されている。
【００５１】
また、前記排水溝部材６の排水孔口７ａには、キャップ部材７ｅが嵌め込まれ、前記排水溝部材６の孔穴６ｄの縁部と前記外側ドレン管７ｃのフランジ７ｃ１を挟んだ状態で前記キャップ部材７ｅの先端部７ｅ２と前記内側ドレン管７ｄの流入口７ｄ１とが連結されることにより、前記内側ドレン管７ｄの排水溝５および外壁２に対する設置位置が維持されて、前記内側ドレン管７ｄが挿通された前記外側ドレン管７ｃの配管形状が保持されている。
【００５２】
例えば、図２（ａ）に示すように、落とし込みドレン管部材７は、排水孔口７ａと、排水孔口７ａの周囲に形成された可撓性を有するフランジ部７ｂと、排水孔口７ａに接続されると共にフランジ部７ｂと一体的に形成された可撓性を有する外側ドレン管７ｃと、硬質な筒状に形成され、軟質な筒状に形成された外側ドレン管７ｃのフランジ７ｃ１側の流入口７ｃ３内部に挿通されて該外側ドレン管７ｃの形状を保持する配管形状保持部材となる内側ドレン管７ｄと、キャップ７ｅと、を有して構成されている。
【００５３】
ここで、可撓性を有する内側ドレン管７ｄの材質としては、例えば、軟質塩化ビニルがある。
【００５４】
従って、落とし込みドレン部材７は、内側ドレン管７ｄを外側ドレン管７ｃに挿通していない状態で、且つキャップ７ｅを排水孔口７ａから離脱させた状態では、全体が可撓性を有することとなり、充分な柔軟性を発揮して形状を変化させることが可能である。
【００５５】
上記の如き構成した落とし込みドレン管部材７では、外側ドレン管７ｃを折り曲げた状態で隙間４に落とし込みつつ、該外側ドレン管７ｃの先端部分を外壁２に設けた貫通孔２ｂに挿通することが可能である。そして、貫通孔２ｂに挿通した外側ドレン管７ｃの内部に内側ドレン管７ｄを嵌挿することによって、外側ドレン管７ｃを筒状の形状に保持することが可能である。
【００５６】
また排水孔口７ａの周囲に形成されているフランジ部７ｂを、隣接する排水溝部材６の底部６ａ、屋根側立上部６ｂ、外壁側立上部６ｃに夫々所定の方法で接続することで、勾配屋根の桁行き方向に連続した排水溝５を構成することが可能である。
【００５７】
しかし、落とし込みドレン管部材７は上記形状にのみ限定するものではなく、図２（ｂ）、（ｃ）に示すように、予め工場で製作した部品としておくことも可能である。すなわち、排水溝部材６の断面形状と同じ断面形状を有し且つ所定の長さ（外側ドレン管７ｃを取り付けることが可能で且つ隣接する排水溝部材６と確実に接続し得る長さ）を有する凹状の部材（図２（ｂ）、（ｃ）の底部７ｇ、７ｈ、７ｉから構成されるもの）を用意すると共に、この凹状の部材の底部に孔穴を形成しておき、該孔穴に外側ドレン管７ｃと接続された排水孔口７ａを対向させて一体化させ、更に、フランジ７ｃ１を凹状の部材に防水性を保持して接続した部品である落とし込みドレン管部材７付排水溝部材６１として構成することも可能である。
【００５８】
排水溝部材６や落とし込みドレン管部材７付排水溝部材６１は、薄い鋼板製であり、部品化（ユニット化）され、複数の部品を排水溝５に配置しているが、排水溝５の防水性を保持するために、予め工場等で排水溝部材等６、６１の各部の鋼板の表面全体に防水皮膜（塩化ビニル樹脂等）を形成しておく。また、排水溝部材等６、６１の部品ユニット同士の隣接部からの漏水の防止のために個々の排水溝部材等６、６１のジョイント部に予め工場等で防水シート片９を接着しておき、建築現場において隣接して配置された排水溝部材等６、６１の防水皮膜（塩化ビニル樹脂等）と防水シート片９を溶剤接着や熱融着する。
【００５９】
上記の如く構成された落とし込みドレン管部材７付排水溝部材６１では、該落とし込みドレン管部材７付排水溝部材６１を隙間４に落とし込んで外側ドレン管７ｃを外壁２に設けた貫通孔２ｂに挿通した後、外壁２の外側から内側ドレン管７ｄを挿通し、該内側ドレン管７ｄの排水孔口７ａ側を該排水孔口７ａに嵌合したキャップ７ｅにより一体化させることで、内側ドレン管７ｄを固定すると共に、固定された内側ドレン管７ｄによって外側ドレン管７ｃの形状を保持することが可能である。
【００６０】
上記の如く構成された落とし込みドレン管部材７付排水溝部材６１を用いた場合には、該落とし込みドレン管部材７付排水溝部材６１と隣接する排水溝部材６との接続が直線的となり、確実に防水性能を持たせることが可能である。なお、排水目皿８は、排水孔口７ａに嵌め込まれている。
【００６１】
次に、図３により、パラペットＡを建設現場おいて、施工する際の手順について説明する。
【００６２】
本実施形態に係る施工作業は、建物の躯体工事が完成して建物の外周に足場を仮設して、
施工作業者が勾配屋根の桁行側である外壁側から排水溝部材等を取り付けるものである。
【００６３】
先ず、図３（ａ）に示すように、勾配屋根１と外壁２との間に形成された隙間４に排水溝部材６を落とし込んで排水溝５の一般部を構成する。この作業は、隙間４が狭いながらも、排水溝部材６が適度な剛性（撓み性）を有するため比較的容易に行うことが可能である。
【００６４】
隙間４に落とし込んだ排水溝部材６を構成する屋根側立上部６ｂを、勾配屋根１を構成する屋根パネル１１に固定すると共に、外壁側立上部６ｃを外壁２の頂部（頂点部）２ａに設けた梁固定金物（図示せず）に固定する（同図（ｂ）参照）。
【００６５】
上記の如くして、予め設定された長さを有する複数の排水溝部材６を隙間４に落とし込んでゆき、夫々の排水溝部材６を屋根パネル１１、梁固定金物１２に固定することで、排水溝５の一般部を施工することが可能である。
【００６６】
次に、外壁２に設けた貫通孔２ｂに対向する部位では、同図（ｃ）に示すように、落とし込みドレン管部材７を隙間４に落とし込む。尚、本実施例では、断面形状が排水溝部材６と同じ形状を持った凹状の部材に外側ドレン管７ｃを含む落とし込みドレン管部材７付排水溝部材６１を利用している。
【００６７】
落とし込みドレン管部材７付排水溝部材６１を隙間４に落とし込むに際し、内側ドレン管７ｄは外側ドレン管７ｃから取り外しておき、この外側ドレン管７ｃを折り曲げ或いは縮める等によって変形させて、該外側ドレン管７ｃが外壁２の内側面に干渉することがないようにしておく。この状態で、同図（ｄ）に示すように、落とし込みドレン管部材７を隙間４に落とし込み、この過程で外側ドレン管７ｃの先端部分を外壁２に設けた貫通孔２ｂに挿通する。
【００６８】
外側ドレン管７ｃを外壁２に設けた貫通孔２ｂに挿通して先端部分を外壁の外側に露出させると共に、該外側ドレン管７ｃが貫通孔２ｂと干渉することがないように、落とし込みドレン管部材７の位置を調整する。
【００６９】
落とし込みドレン管部材７の位置が調整されたとき、同図（ｄ）に示すように、凹状の部材を構成する一方の立上部を屋根パネル１１に、他方の立上部を外壁２に設けた梁固定金物１２に、夫々固定する。更に、外側ドレン管７ｃの内部に内側ドレン管７ｄを挿通し、該内側ドレン管７ｄの流入口７ｄ１（排水孔口７ａに設置される排水目皿８と対向する端部）をキャップ７ｅの先端部によって固定（嵌合）することで、内側ドレン管７ｄ自身を排水溝や外壁に対する設置位置（設置姿勢）を固定すると共に、該内側ドレン管７ｄの固定によって柔軟に撓んだ状態の外側ドレン管７ｃを筒状の配管形状に保持することが可能である。
【００７０】
そして、外壁２から突出し、形状が内側ドレン管７ｄによって保持された外側ドレン管７ｃの端部に竪樋１０を接続することで、排水溝５を構成することが可能である。前記排水溝５を構成した後、外壁２の頂部２ａに更に笠木１３を設置することでパラペットＡを構成することが可能である。
【００７１】
上記の如く構成されたパラペットＡでは、落とし込みドレン管部材７を構成する内側ドレン管７ｄの流入口７ｄ１の端部とこれに嵌めこんだキャップ部材７ｅの先端部７ｅ２（さらにキャップ部材７は、該キャップ部材７ｅのフランジ７ｅ１側から排水孔口７ａの排水目皿８で押圧されている状態となっている。）との間に生じる継目１５が形成されることがあり、この継目１５から雨水が漏れることがある。
【００７２】
しかし、外側ドレン管７ｃは排水孔口７ａを含む外側ドレン管７ｃのフランジ７ｃ１と一体化しているため、漏れた雨水は外側ドレン管７ｃによって竪樋１０まで導かれて排水される。従って、前記継目１５で漏水しても外側ドレン管７ｃから漏水する虞はない。
【００７３】
尚、隙間４に配置された複数の排水溝部材６の端部どうし、排水溝部材６と落とし込みドレン管部材７の端部どうし、は夫々防水性能を確保し得る所定の方法（例えば溶着）によって接続される。この接続工程を、各部材６、７を隙間４に配置する都度行うか、排水溝５に必要な全ての排水溝部材６、落とし込みドレン管部材７を配置した後行うかについては限定するものではなく、現場の工程や作業手順に応じて最も効率の良いと思われる時期に行えば良い。
【００７４】
上記の如くして勾配屋根１の桁先端部１ａと外壁２との間に形成した桁梁３の幅寸法と略同じ寸法を持った極めて狭い隙間４に排水溝５を構成したパラペットＡを構成することが可能である。
【００７５】
尚、外壁２の頂部２ａ、貫通孔２ｂは夫々対応する部材（外壁側立上部６ｃ、外側ドレン管７ｃ）が配置された後、夫々シーリングが施工されて防水性を確保している。
【００７６】
また、排水溝５が勾配を有するか否かは問うものではなく、本実施例の排水溝５では流下勾配を有することのない平坦な溝として構成している。流下勾配を必要とする場合、排水溝部材６が単独の部品によって構成されている場合いは立上部の高さを変化させた複数の排水溝部材６を用いるか、排水溝部材６が複数の部品によって構成されている場合には立上部に底部を接続する際に、接続高さを調整することで良い。
【産業上の利用可能性】
【００７７】
本発明に係るパラペット構造は、外壁頂点部に勾配屋根の水下が着地して勾配屋根と外壁が連続して形成されている建物に利用することが可能であり、特に、外壁頂点部と勾配屋根の溝状の隙間を形成して軒樋を配設することができ、新築のみならずリフォーム時にも採用可能であり、陸屋根住宅等の建物の屋上に勾配屋根構造を増築する場合にも意匠性の向上をはかることが可能となり有利である。
【図面の簡単な説明】
【００７８】
【図１】パラペット構造を説明する図である。
【図２】落とし込みドレン管部材の一例を説明する図である。
【図３】本実施例のパラペットを構成する際の手順を説明する図である。
【図４】従来の排水構造を持ったパラペットの構成を説明する図である。
【図５】トップハット・ルーフシステムTMの勾配屋根における樋の構成を説明する図である。
【符号の説明】
【００７９】
Ａ                      パラペット、
１                      勾配屋根（勾配屋根の水下部）
１ａ                    桁先端部
１ｂ                    勾配梁
２                      外壁（外壁パネル）
２ａ                    頂部（頂点部）
２ｂ                    貫通孔
３                      桁梁
３ａ                    接合金物（桁梁と勾配梁を接合）
４                      隙間
５                      排水溝
６                      排水溝部材（鋼板部品）
６１                    落とし込みドレン管付排水溝部材（鋼板部品）
６ａ、７ｇ              凹状の部材の底部
６ｂ、７ｉ              屋根側立上部（勾配屋根被覆片）
６ｃ、７ｈ              外壁側立上部（外壁頂点部被覆片）
６ｄ                    孔穴
７                      落とし込みドレン管
７ａ                    排水孔口
７ｂ                    フランジ部
７ｃ                    外側ドレン管
７ｃ１                  外側ドレン管のフランジ
７ｃ２                  外側ドレン管の流出口
７ｃ３                  外側ドレン管の流入口
７ｄ                    内側ドレン管
７ｄ１                  内側ドレンの流入口
７ｄ２                  内側ドレンの流出口
７ｅ                    キャップ（キャップ部材）
７ｅ１                  キャップ部材のフランジ
７ｅ２                  キャップ部材の先端部
８                      排水目皿
９                      防水シート片
１０                    竪樋
１１                    屋根パネル
１１ａ                  屋根パネル端部金物（屋根パネル支持部材）
１２                    梁固定金物
１３                    笠木
１４                    ブラケット
１５                    継目
７１                    軒樋
７２                    建物
７３                    外壁面
８１、８２              桁先
【図１】
0005269473.tif 000002
【図２】
0005269473.tif 000003
【図３】
0005269473.tif 000004
【図４】
0005269473.tif 000005
【図５】
0005269473.tif 000006